Podtech/llm-jp-corpus-v4-ja_patent huggingface dataset:
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
a）環境基準点を基準とした、対象の体位または身体の向きに関する情報を収集するセンサー；b）触覚情報を該対象に伝達するように構成された刺激装置；ならびにc）i）該センサーから情報を受け取ること；ii）該情報を触覚情報に変換すること；およびiii）該体位または身体の向きを該対象に伝える形態で該刺激装置に該触覚情報を伝達すること、を行うように構成されたプロセッサ、を含むシステム。
【請求項２】
センサーが角運動または線運動のセンサーを含む、請求項1記載のシステム。
【請求項３】
センサーが加速時計またはジャイロスコープを含む、請求項2記載のシステム。
【請求項４】
環境基準点が重力面を含む、請求項1記載のシステム。
【請求項５】
刺激装置が電気触覚出力を与える、請求項1記載のシステム。
【請求項６】
刺激装置が刺激装置アレイの部分として与えられる、請求項1記載のシステム。
【請求項７】
刺激装置アレイが、刺激装置アレイ上の既知の位置に配置された3つまたはそれ以上の電極を含む、請求項6記載のシステム。
【請求項８】
刺激装置アレイが、対象の口腔内に収まるように構成されたマウント上に与えられる、請求項1記載のシステム。
【請求項９】
刺激装置アレイが、対象の舌の電気触覚刺激を与えるように構成される、請求項1記載のシステム。
【請求項１０】
プロセッサが情報を無線通信を介して受け取る、請求項1記載のシステム。
【請求項１１】
プロセッサが携帯型筐体内に与えられる、請求項1記載のシステム。
【請求項１２】
プロセッサが刺激装置アレイにケーブルによって取り付けられる、請求項1記載のシステム。
【請求項１３】
センサーがビデオカメラである、請求項1記載のシステム。
【請求項１４】
プロセッサがさらに、対象が触覚情報を体位または身体の向きと関連づけることを可能にする訓練ソフトウエアを実行するように構成されている、請求項1記載のシステム。
【請求項１５】
平衡感覚（balance）に関係する対象の身体的または精神的な遂行能力（performance）を改変するような条件下で、舌の電気触覚刺激を含む触覚刺激を対象に与えるように構成される、請求項1記載のシステム。
【請求項１６】
a）触覚情報を対象に伝達するように構成された刺激装置、ならびにb）i）対象の体位または身体の向きと相関する知覚可能な事象を生成する訓練プログラムを実行すること、およびii）該体位または身体の向きを該知覚可能な事象と関連づける形態で該刺激装置に触覚情報を伝達すること、を行うように構成されたプロセッサ、を含むシステム。
【請求項１７】
刺激装置が電気触覚刺激装置を含む、請求項16記載のシステム。
【請求項１８】
知覚可能な事象がディスプレイスクリーン上のビデオ画像を含む、請求項16記載のシステム。
【請求項１９】
刺激装置が対象の舌に対して電気触覚刺激を与えるように構成される刺激装置アレイを含む、請求項16記載のシステム。
【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
ヌクレオチド三リン酸を含む緩衝液を利用する増幅反応を実施するための方法であって、緩衝液を処理し、ヌクレオチド三リン酸の一部をヌクレオチド二リン酸で置き換えることを含む方法。
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
発光する発光素子と、
所定波長領域の光を通過させるフィルタと、
光を集光するレンズユニットと、
前記発光素子が発光し、被写体により反射された光を、前記フィルタ及び前記レンズユニットを介して受光し、前記被写体の画像信号を生成する撮像手段と、
前記フィルタの光入射面を露出させる開口部を有し、かつ、その開口部を取り囲む位置に囲繞部が形成された漏光防止手段と、
前記発光素子を保持する発光素子保持手段と、を備え、
前記フィルタは、その光入射面が前記漏光防止手段の前記開口部から露出した状態で固定され、
前記発光素子は、その発光部が露出するように、前記囲繞部を構成する孔に挿入され、かつ、前記発光素子保持部材に保持された状態で固定され、
前記レンズユニットは、その先端の光入射面が前記フィルタの光出射面に対面するように固定され、
前記撮像手段は、前記レンズユニットの光軸上に固定される、撮像装置。
【請求項２】
少なくとも前記漏光防止手段の前記囲繞部の内壁が黒色である、請求項１記載の撮像装置。
【請求項３】
前記漏光防止手段の前記囲繞部を構成する前記孔は、先端を切り落とした逆円錐状に形成され、その逆円錐状部分から、前記発光素子の発光部が露出する、請求項１記載の撮像装置。
【請求項４】
前記撮像装置は、上側ハウジング及び下側ハウジングを有し、前記上側ハウジング及び前記下側ハウジングの各々の前面には、前記漏光防止手段を嵌め込むための切欠部が設けられ、それぞれの切欠部の両側縁に沿って溝部が形成され、
前記漏光防止手段の側縁を、前記溝部に差し込んだ状態で、前記上側ハウジングと前記下側ハウジングとが結合される、請求項１記載の撮像装置。
【請求項５】
前記撮像手段を取り付ける基板をさらに備え、
前記レンズユニットは、前記撮像手段を覆うように、前記基板に取り付けられ、
前記発光素子保持手段は、前記基板と前記漏光防止手段とで挟み込まれ、
前記基板は、前記漏光防止手段と面平行に、前記上側ハウジング及び前記下側ハウジングの内部に固定される、請求項４記載の撮像装置。
【請求項６】
前記発光素子は予め定められた周期で間欠的に発光する、請求項１から５のいずれかに記載の撮像装置。
【請求項７】
請求項１記載の撮像装置によって撮影される被写体であって、
発光素子が発光した光を再帰反射する少なくとも１つの再帰反射手段と、
正多面体形状の本体部と、を備え、
前記本体部の表面に前記再帰反射手段が取り付けられる、被写体。
【請求項８】
前記本体部は、正二十面体形状である、請求項７記載の被写体。
【請求項９】
前記本体部は、正多面体を展開した形状を面単位で分割した形状の複数の前記再帰反射手段で覆われる、請求項７記載の被写体。
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
マウス乳癌ウイルス様レトロウイルス逆転写酵素の活性を阻害するための組成物であって、該組成物は、
アデホビルまたはテノホビルを含む、組成物。
【請求項２】
マウス乳癌ウイルス様レトロウイルスの複製を阻害するための組成物であって、該組成物は、
アデホビルまたはテノホビルを含む、組成物。
【請求項３】
哺乳動物乳癌を処置するための組成物であって、該組成物は、
アデホビルまたはテノホビルを含む、組成物。
【請求項４】
ヒト原発性胆汁性肝硬変を処置するための組成物であって、該組成物は、
アデホビルまたはテノホビルを含む、組成物。
【請求項５】
哺乳動物乳癌を処置するための組成物であって、該組成物は、アデホビルジピボキシルを含み、ここで、該組成物は、約１０ｍｇ〜約１００ｍｇのアデホビルジピボキシルの投与のために処方されている、組成物。
【請求項６】
ヒト原発性胆汁性肝硬変を処置するための組成物であって、該組成物は、アデホビルジピボキシルを含み、ここで、該組成物は、約１０ｍｇ〜約１００ｍｇのアデホビルジピボキシルの投与のために処方されている、組成物。
【請求項７】
哺乳動物乳癌を処置するための組成物であって、該組成物は、フマル酸テノホビルジソプロキシルを含み、ここで、該組成物は、約１０ｍｇ〜約１０００ｇのフマル酸テノホビルジソプロキシルの投与のために処方されている、組成物。
【請求項８】
ヒト原発性胆汁性肝硬変を処置するための組成物であって、該組成物は、フマル酸テノホビルジソプロキシルを含み、ここで、該組成物は、約１０ｍｇ〜約１０００ｍｇのフマル酸テノホビルジソプロキシルの投与のために処方されている、組成物。
【請求項９】
請求項４〜８に記載の組成物であって、
第二の治療剤、
をさらに含む、組成物。
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
上部気道通路の急性鼻副鼻腔炎を罹患した患者において、抗生物質の併用投与なくして該疾患を処置するための組成物であって、該組成物は、該患者の該通路の表面に、少なくとも一日１回投与され、該組成物は、該疾患を処置するために有効な量のフランカルボン酸モメタゾンのエアロゾル化粒子を含む、組成物。
【請求項２】
前記フランカルボン酸モメタゾンの量が、フランカルボン酸モメタゾンのエアロゾル化粒子の約２５μｇ〜約１６００μｇのほぼ範囲である、請求項１に記載の組成物。
【請求項３】
前記フランカルボン酸モメタゾンの量が、約２５μｇ〜約８００μｇの範囲である、請求項２に記載の組成物。
【請求項４】
前記フランカルボン酸モメタゾンの量が、約２５μｇ〜約４００μｇの範囲である、請求項３に記載の組成物。
【請求項５】
前記フランカルボン酸モメタゾンの量が、約２５μｇ〜約２００μｇの範囲である、請求項４に記載の組成物。
【請求項６】
前記フランカルボン酸モメタゾンの量が、約２５μｇ〜約１００μｇの範囲である、請求項５に記載の組成物。
【請求項７】
前記フランカルボン酸モメタゾンの量が、約１００μｇ、２００μｇまたは４００μｇである、請求項１に記載の組成物。
【請求項８】
前記フランカルボン酸モメタゾンが、一日２回投与される、請求項１に記載の組成物。
【請求項９】
前記フランカルボン酸モメタゾンが、フランカルボン酸モメタゾン一水和物である、請求項１に記載の組成物。
【請求項１０】
前記フランカルボン酸モメタゾンが、水性懸濁物の形態である、請求項１に記載の組成物。
【請求項１１】
前記フランカルボン酸モメタゾンが、乾燥粉末の形態である、請求項１に記載の組成物。
【請求項１２】
前記フランカルボン酸モメタゾンが、無水物である、請求項１１に記載の組成物。
【請求項１３】
上部気道通路の急性鼻副鼻腔炎を罹患した患者において、抗生物質の併用投与なくして該疾患を処置するための組成物であって、該組成物は、該患者の該通路の表面に、少なくとも一日１回投与され、該組成物は、該疾患を処置するために有効な量のコルチコステロイドのエアロゾル化粒子を含む、組成物。
【請求項１４】
前記コルチコステロイドが、デキサメタゾン、ブトキシカント、ロフレポニド、ブデソニド、デフラザコルト、シクレソニド、フルチカゾン、ベクロメタゾン、ロテプレドノルまたはトリアムシノロンからなる群から選択される、請求項１３に記載の組成物。
【請求項１５】
前記コルチコステロイドが、水性懸濁物の形態である、請求項１３に記載の組成物。
【請求項１６】
前記コルチコステロイドが、乾燥粉末の形態である、請求項１３に記載の組成物。
【請求項１７】
前記コルチコステロイドが、フルチカゾンである、請求項１３に記載の組成物。
【請求項１８】
前記フルチカゾンの投与される投薬量が、毎日１回各外鼻孔に各々プロピオン酸フルチカゾンの５０μｇの２スプレーである、請求項１７に記載の組成物。
【請求項１９】
前記フルチカゾンの投与される投薬量が、毎日１回各外鼻孔に各々プロピオン酸フルチカゾンの５０μｇの１スプレーである、請求項１７に記載の組成物。
【請求項２０】
前記コルチコステロイドが、トリアムシノロンである、請求項１３に記載の組成物。
【請求項２１】
前記トリアムシノロンの投与される投薬量が、毎日１回各外鼻孔に２スプレーとして一日あたり２２０μｇである、請求項２０に記載の組成物。
【請求項２２】
前記トリアムシノロンの投与される投薬量が、毎日１回各外鼻孔に一日あたり１１０μｇである、請求項２０に記載の組成物。
【請求項２３】
前記コルチコステロイドが、ブデノニドである、請求項１３に記載の組成物。
【請求項２４】
前記ブデノニドの投与される投薬量が、毎日１回外鼻孔あたり３２μｇの１スプレーとして投与される一日あたり６４μｇである、請求項２３に記載の組成物。
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
操作されたタンパク質を含むレンズであって、該レンズは、該操作されたタンパク質を架橋することによって形成される、レンズ。
【請求項２】
前記操作されたタンパク質が、少なくとも１つのフィブロネクチン様ドメインおよび少なくとも１つのエラスチン様ドメインを含む、請求項１に記載のレンズ。
【請求項３】
前記フィブロネクチン様ドメインが配列番号２６を含む、請求項２に記載のレンズ。
【請求項４】
前記フィブロネクチン様ドメインが配列番号２７を含む、請求項２に記載のレンズ。
【請求項５】
前記操作されたタンパク質が、配列番号１を含む、請求項２に記載のレンズ。
【請求項６】
前記架橋することが照射を含む、請求項１に記載のレンズ。
【請求項７】
前記照射がレーザー照射を含む、請求項６に記載のレンズ。
【請求項８】
前記架橋の程度が不均一である、請求項１に記載のレンズ。
【請求項９】
前記架橋が所定のパターンである、請求項１に記載のレンズ。
【請求項１０】
前記レンズがさらに第二の架橋に供される、請求項１に記載のレンズ。
【請求項１１】
前記操作されたタンパク質が、該タンパク質に対する少なくとも１つのアクリロイル基またはメタクリロイル基の結合によって改変される、請求項１に記載のレンズ。
【請求項１２】
前記操作されたタンパク質が、約１５キロダルトン未満の低分子量のタンパク質である、請求項１に記載のレンズ。
【請求項１３】
前記レンズが、コンタクトレンズ、角膜アンレー、角膜インレーおよび眼内レンズからなる群より選択される、請求項１に記載のレンズ。
【請求項１４】
前記レンズが角膜アンレーである、請求項１に記載のレンズ。
【請求項１５】
前記レンズが生体適合性である、請求項１に記載のレンズ。
【請求項１６】
前記レンズが光学的に透明である、請求項１に記載のレンズ。
【請求項１７】
前記レンズが生分解に抵抗性である、請求項１に記載のレンズ。
【請求項１８】
前記レンズが隣接する細胞の付着を促す、請求項１に記載のレンズ。
【請求項１９】
前記レンズが０．０５ＭＰａ〜２．０ＭＰａの弾性率を有する、請求項１に記載のレンズ。
【請求項２０】
操作されたタンパク質を含む角膜移植片であって、該移植片は該操作されたタンパク質を架橋することによって形成される、角膜移植片。
【請求項２１】
少なくとも１つのフィブロネクチン様ドメインおよび少なくとも１つのエラスチン様ドメインを含む、操作されたタンパク質。
【請求項２２】
前記フィブロネクチン様ドメインが、ＣＳ１、ＣＳ５、ＲＧＤドメインまたはＩＩＩ型ドメインを含む、請求項２１に記載の操作されたタンパク質。
【請求項２３】
前記エラスチン様ドメインが、ＶＰＧＶＧ（配列番号２）、ＶＰＧＫＧ（配列番号３）、ＶＰＧＩＧ（配列番号４）またはそれらの機能的等価物を含む、請求項２１に記載の操作されたタンパク質。
【請求項２４】
架橋される、請求項２１に記載の操作されたタンパク質。
【請求項２５】
前記フィブロネクチン様ドメインが配列番号２６を含む、請求項２１に記載の操作されたタンパク質。
【請求項２６】
前記フィブロネクチン様ドメインが配列番号２７を含む、請求項２１に記載の操作されたタンパク質。
【請求項２７】
前記タンパク質が配列番号１を含む、請求項２１に記載の操作されたタンパク質。
【請求項２８】
前記操作されたタンパク質が、該操作されたタンパク質に対する１以上の実体の結合によって改変され、これが、該操作されたタンパク質の架橋能を変化させる、請求項２１に記載の操作されたタンパク質。
【請求項２９】
前記操作されたタンパク質が、該タンパク質に対する少なくとも１つのアクリロイル基またはメタクリロイル基の結合によって改変される、請求項２１に記載の操作されたタンパク質。
【請求項３０】
約１５キロダルトン未満の分子量である、請求項２１に記載の操作されたタンパク質。
【請求項３１】
フィブロイン、エラスチン、ケラチン、コラーゲンの繰り返しブロック、または繰り返しブロックの組み合わせをさらに含む、請求項２１に記載の操作されたタンパク質。
【請求項３２】
操作されたタンパク質を含む生物医学的コーティングであって、該タンパク質は、少なくとも１つのフィブロネクチン様ドメインおよび少なくとも１つのエラスチン様ドメインを含む、生物医学的コーティング。
【請求項３３】
眼の光学的特性を矯正するための角膜アンレーであって、該角膜アンレーは、操作されたタンパク質を含み、該タンパク質は、少なくとも１つのフィブロネクチン様ドメインおよび少なくとも１つのエラスチン様ドメインを含む、角膜アンレー。
【請求項３４】
前記アンレーの表面が、該移植されたアンレーに隣接する細胞の接着を促す、請求項３３に記載の角膜アンレー。
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
(a)少なくとも1種のポリマー、
(b)少なくとも1種の層状化合物、及び
(c)少なくとも1種の分散液、
を含む分散系(D)が噴霧によって乾燥される段階(E)を含む、コンポジット材料(M)の製造方法。
【請求項２】
ポリマーがハロゲン化ポリマーである、請求項１記載の方法。
【請求項３】
ハロゲン化ポリマーが、水性微細懸濁重合方法及び水性乳化重合方法から選択される重合方法によって得られる、請求項２記載の方法。
【請求項４】
層状化合物が、天然又は合成層状クレイから選択される、請求項１〜３のいずれか１項に記載の方法。
【請求項５】
分散系(D)が、(d)少なくとも1種の界面活性剤をさらに含む、請求項１〜４のいずれか１項に記載の方法。
【請求項６】
該分散系(D)が、(a)及び一部の(c)を含む分散系(A)を、(b)及び残りの(c)を含む分散系(B)と混合することによって調製される分散系(D)の調製段階(E')を、段階(E)の前に含む、請求項１〜５のいずれか１項に記載の方法。
【請求項７】
分散系(D)が、(e)少なくとも1種の解膠剤をさらに含む、請求項１〜６のいずれか１項に記載の方法。
【請求項８】
コンポジット材料を処理してその形態を調整する少なくとも1種の段階(E'')を、段階(E)の後に含む、請求項１〜７のいずれか１項に記載の方法。
【請求項９】
(a')少なくとも1種のポリマー、
(b')少なくとも1種の層状化合物、及び
(d')乾燥状態の(a')の質量に対して少なくとも0.02質量%の少なくとも1種の界面活性剤を含み；200μm以下の質量平均直径D50を有する粒子からなる、コンポジット材料(M')。
【請求項１０】
100μm以下の質量平均直径D50を有する粒子からなる、請求項９記載のコンポジット材料又は請求項１〜８のいずれか１項に記載の方法によって調製されるコンポジット材料。
【請求項１１】
10μm以下の質量平均直径D50を有する粒子からなる、請求項９及び１０のいずれか１項に記載のコンポジット材料又は請求項１〜８のいずれか１項に記載の方法によって調製されるコンポジット材料。
【請求項１２】
4以下の平均縦横比を有する粒子からなる、請求項９〜１１のいずれか１項に記載のコンポジット材料又は請求項１〜８のいずれか１項に記載の方法によって調製されるコンポジット材料。
【請求項１３】
プラスチゾルが調製される段階(E''')を含む、請求項９〜１２のいずれか１項に記載のコンポジット材料又は請求項１〜８のいずれか１項に記載の方法によって調製されるコンポジット材料を加工するための方法。
【請求項１４】
前記材料のポリマーがその融点又はゲル化温度以上の温度にされる段階(E'''')を含む、請求項９〜１２のいずれか１項に記載のコンポジット材料又は請求項１〜８のいずれか１項に記載の方法によって調製されるコンポジット材料を加工するための方法。
【請求項１５】
分散系(A)が(d)をさらに含む、請求項６記載の方法。
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
残留物含有量が原油原料１ｇ当たり０．２ｇ以上である原油原料を、放出ガスの放出ガス変曲点〔生成物の時間分析（ＴＡＰ）で測定〕が５０〜５００℃の温度範囲にある無機塩触媒及び水の存在下、炭素数１〜６の範囲の１種以上の炭化水素と接触させる工程、及び
水素ガスを生成する工程、
を含む水素ガスの製造方法。
【請求項２】
１種以上の炭素数１〜６の範囲の炭化水素が、メタン、エタン、プロパン、ブタン、ナフサ、又はそれらの混合物を含む請求項１に記載の方法。
【請求項３】
該水が水蒸気を含む請求項１又は２に記載の方法。
【請求項４】
該水素ガス又は該ガス流を上流のプロセスで使用する工程を更に含む請求項１〜３のいずれか１項に記載の方法。
【請求項５】
該水素ガス又は該ガス流を合成ガスプロセスで使用する工程を更に含む請求項１〜４のいずれか１項に記載の方法。
【請求項６】
原油原料を水の存在下で無機塩触媒と接触させると共に、温度、圧力、原油原料流、全生成物流、滞留時間、水素源の流れ、又はそれらの組合わせを制御することで、２５℃、０．１０１ＭＰａにおいて液体混合物である原油生成物を含む全生成物を製造する請求項１〜５のいずれか１項に記載の方法。
【請求項７】
無機塩触媒が、１種以上のアルカリ金属炭酸塩、１種以上のアルカリ土類金属炭酸塩、１種以上のアルカリ金属水酸化物、１種以上のアルカリ土類金属水酸化物、１種以上のアルカリ金属水素化物、１種以上のアルカリ土類金属水素化物、１種以上のアルカリ金属の１種以上の硫化物、１種以上のアルカリ土類金属の１種以上の硫化物、１種以上のアルカリ金属の１種以上のアミド、１種以上のアルカリ土類金属の１種以上のアミド、又はそれらの混合物を含む請求項１〜６のいずれか１項に記載の方法。
【請求項８】
該１種以上のアルカリ金属が、ナトリウム、カリウム、ルビジウム、セシウム、又はそれらの混合物であり、及び／又は該１種以上のアルカリ土類金属が、カルシウム、マグネシウム、又はそれらの混合物である請求項７に記載の方法。
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
蒸気圧縮式空調または冷凍システムから残留物を除去する組成物であって、１，１，１，２，２，３，４，５，５，５−デカフルオロペンタンと、ポリオールエステルとから本質的になることを特徴とする組成物。
【請求項２】
蒸気圧縮式空調または冷凍システムから残留物を除去するための組成物であって、約１５重量％の１，１，１，２，２，３，４，５，５，５−デカフルオロペンタンと、約８５重量％のネオペンチルグリコールジ−２−エチルヘキサノエートとから本質的になることを特徴とする組成物。
【請求項３】
蒸気圧縮式空調または冷凍システムの残留物を除去または低減する方法であって、
本質的にすべての冷媒および潤滑剤を前記蒸気圧縮式システムから除去する工程と、
前記蒸気圧縮式システムの残留物の量を低減するのに十分な時間にわたって、請求項１〜２のいずれか一項に記載の組成物に前記システムを接触させる工程と、
前記組成物を前記システムから除去する工程と
を含むことを特徴とする方法。
【請求項４】
蒸気圧縮式空調または冷凍システムの構成部品を洗浄する方法であって、
請求項１〜２のいずれか一項に記載の組成物で構成部品をフラッシングする工程と、
前記構成部品から前記組成物を除去する工程と
を含むことを特徴とする方法。
【手続補正２】
【補正対象書類名】明細書
【補正対象項目名】００２５
【補正方法】変更
【補正の内容】
【００２５】
フラッシュ方法を使った方法を用いてもよい。この方法を用いる際には、空調または冷凍システムから冷媒および潤滑剤を回収し、洗浄またはフラッシュする構成部品の入口および出口をそのシステムから切り離す。この方法は、本発明の組成物等の適切な組成物をフラッシュキットを用いて注入することによって行われる。一般に、フラッシュキットには、フラッシング組成物を含んだ加圧容器、フラッシュする構成部品にその組成物を供給するノズル、その他、適切な接続ホース、およびその容器からフラッシング組成物を分注しやすくする空気または窒素または他の適切なガスが含まれる。そのようなフラッシュキットは、米国ノースカロライナ州モーレスビルのＦＪＣ社（ＦＪＣ，  Ｉｎｃ．，  Ｍｏｏｒｅｓｖｉｌｌｅ，  Ｎｏｒｔｈ  Ｃａｒｏｌｉｎａ，  ＵＳＡ）から市販されている。別法として、閉ループ方法を用いてもよい。この方法では、その空調または冷凍システムから冷媒および潤滑剤を回収し、洗浄またはフラッシュする構成部品の入口および出口をそのシステムから切り離す。閉ループ法を用いる場合、その洗浄は、適切な閉ループ装置を使って達成される。一般に、こうした閉ループ装置は、適切な容積のリザーバを内蔵し、（空気、電気、または他の適切な手段によって動作する）ポンプ、ホース、フィルタ等を備えている。そのような閉ループ装置は、例えば、カナダのオンタリオ州トロントのクリップライト社（Ｃｌｉｐｌｉｇｈｔ  Ｃｏ．  ｉｎ  Ｔｏｒｏｎｔｏ，  Ｏｎｔａｒｉｏ  Ｃａｎａｄａ）から市販されている。閉ループ装置に接続されているホースは、洗浄またはフラッシュする構成部品の入口／出口に接続される。フラッシング組成物は、約３０分間または構成部品内の残留物を低減または除去するのに十分な時間にわたって、リザーバから構成部品を通して循環させられる。その後、構成部品は、約３０〜約６０分間乾燥空気または窒素とパージされ、構成部品に残存し得るすべてのフラッシング組成物を除去する。フラッシング組成物は、閉ループシステムが適切なフィルタおよび／または分離器等を備えていれば、２回以上使用してもよい。
以下に、本発明の好ましい態様を示す。
１．蒸気圧縮式空調または冷凍システムから残留物を除去する組成物であって、１，１，１，２，２，３，４，５，５，５−デカフルオロペンタンと、ポリオールエステルとから本質的になることを特徴とする組成物。
２．前記ポリオールエステルが、カルボン酸と、ネオペンチルグリコール、グリセロール、トリメチロールプロパンおよびペンタエリトリトールからなる群から選択される少なくとも１種のポリオールとの反応生成物であることを特徴とする１．に記載の組成物。
３．前記ポリオールエステルが、式Ｃ（ＣＨ３）２（ＣＨ２ＯＣ（Ｏ）Ｒ１）２（式中、各Ｒ１はＣ６〜１２の飽和、環式、直鎖または分枝の炭化水素基から独立して選択される）で表されるネオペンチルグリコールエステルであることを特徴とする１．に記載の組成物。
４．各Ｒ１がＣ７の分枝飽和炭化水素基であることを特徴とする３．に記載の組成物。
５．各Ｒ１が１−エチル−ペンチル基であることを特徴とする４．に記載の組成物。
６．約５〜約２５重量％の１，１，１，２，２，３，４，５，５，５−デカフルオロペンタンと、約７５〜約９５重量％のポリオールエステルとから本質的になることを特徴とする１．に記載の組成物。
７．約１５重量％の１，１，１，２，２，３，４，５，５，５−デカフルオロペンタンと、約８５重量％のポリオールエステルとから本質的になることを特徴とする１．に記載の組成物。
８．蒸気圧縮式空調または冷凍システムから残留物を除去するための組成物であって、約１５重量％の１，１，１，２，２，３，４，５，５，５−デカフルオロペンタンと、約８５重量％のネオペンチルグリコールジ−２−エチルヘキサノエートとから本質的になることを特徴とする組成物。
９．蒸気圧縮式空調または冷凍システムの残留物を除去または低減する方法であって、
本質的にすべての冷媒および潤滑剤を前記蒸気圧縮式システムから除去する工程と、
前記蒸気圧縮式システムの残留物の量を低減するのに十分な時間にわたって、１．〜８．のいずれか１つに記載の組成物に前記システムを接触させる工程と、
前記組成物を前記システムから除去する工程と
を含むことを特徴とする方法。
１０．蒸気圧縮式空調または冷凍システムの構成部品を洗浄する方法であって、
１．〜８．のいずれか１つに記載の組成物で構成部品をフラッシングする工程と、
前記構成部品から前記組成物を除去する工程と
を含むことを特徴とする方法。
【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
対象において吸入により急性肺損傷を治療するための組成物であって、アンチトロンビンIII（ATIII）を含み、該ATIIIが体重に対して約10-300U/kgの用量で投与され、それにより肺損傷の治療をもたらすことを特徴とする組成物。
【請求項２】
対象において吸入により急性肺損傷を治療するための組成物であって、アンチトロンビンIII（ATIII）を含み、該ATIIIが非ヒト哺乳動物の乳から遺伝子導入により産生されたATIIIであり、ATIIIの投与により肺損傷の治療をもたらすことを特徴とする組成物。
【請求項３】
前記肺損傷が敗血症性急性肺損傷であることを特徴とする請求項１または２記載の組成物。
【請求項４】
前記肺損傷が急性呼吸窮迫症候群（ARDS）であることを特徴とする請求項１または２記載の組成物。
【請求項５】
前記肺疾患が、ウイルス性物質への暴露に応答して生じたものであることを特徴とする請求項１または２記載の組成物。
【請求項６】
前記肺疾患が、細菌性物質への暴露に応答して生じたものであることを特徴とする請求項１または２記載の組成物。
【請求項７】
前記細菌性物質が緑膿菌（Pseudomonas  aeruginosa）であることを特徴とする請求項６記載の組成物。
【請求項８】
前記肺損傷が、アスベストに応答して生じたものであることを特徴とする請求項１または２記載の組成物。
【請求項９】
前記肺損傷が、煙吸入に応答して生じたものであることを特徴とする請求項１または２記載の組成物。
【請求項１０】
前記肺損傷が、肺への火傷により生じたものであることを特徴とする請求項１または２記載の組成物。
【請求項１１】
前記肺損傷が、肺の腫瘍形成を含むことを特徴とする請求項１または２記載の組成物。
【請求項１２】
前記肺損傷が、胸膜の腫瘍形成を含むことを特徴とする請求項１または２記載の組成物。
【請求項１３】
前記肺損傷が、間質性肺疾患を含むことを特徴とする請求項１または２記載の組成物。
【請求項１４】
前記肺損傷が、胸膜の器質化胸膜炎を含むことを特徴とする請求項１または２記載の組成物。
【請求項１５】
１用量より多くのアンチトロンビンIII（ATIII）が対象に投与されることを特徴とする請求項１または２記載の組成物。
【請求項１６】
１用量より多くのアンチトロンビンIII（ATIII)が２から６時間の定間隔で投与されることを特徴とする請求項１５記載の組成物。
【請求項１７】
アンチトロンビンIII（ATIII）が1週間までの期間、吸入により投与されることを特徴とする請求項１または２記載の組成物。
【請求項１８】
アルガトロバンと一緒に投与されることを特徴とする請求項１または２記載の組成物。
【請求項１９】
薬剤学的に許容されるキャリヤーをさらに含むことを特徴とする請求項１または２記載の組成物。
【請求項２０】
前記薬剤学的に許容されるキャリヤーが、アルコール、水または生理食塩水であることを特徴とする請求項１または２記載の組成物。
【請求項２１】
アンチトロンビンIII(ATIII)が、超音波ネブライザーを用いて投与されることを特徴とする請求項１または２記載の組成物。
【請求項２２】
アンチトロンビンIII(ATIII)が、乾燥粉末吸入装置を用いて投与されることを特徴とする請求項１または２記載の組成物。
【請求項２３】
アンチトロンビンIII(ATIII)が、ジェットエアロゾル装置を用いて投与されることを特徴とする請求項１または２記載の組成物。
【請求項２４】
肺のガス交換を増加させるのに効果的であることを特徴とする請求項１または２記載の組成物。
【請求項２５】
血管透過性を減らすのに効果的であることを特徴とする請求項１または２記載の組成物。
【請求項２６】
アンチトロンビンIII（ATIII）が体重に対して約10〜300U／kgの用量で投与されることを特徴とする請求項２記載の組成物。
【請求項２７】
アンチトロンビンIII(ATIII)が体重に対して約25〜125U/kgの用量で投与されることを特徴とする請求項１または２６記載の組成物。
【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
式Ｉの抱合体またはその薬学的に許容できる塩に関し：
【化１】
2007518825.tif 000001
式中、ＲはＰＯＡＭ部分またはＲａで、Ｒａはアミノ、ヒドロキシル、アルコキシ、置換アルコキシ、置換アミノ、アルキルおよび置換アルキル、−アルキル−Ｏ−アルキル、置換−アルキル−Ｏ−アルキルでからなる群から選択され、各Ｒａは場合によりＲａと状況に応じてリンカーにより共有結合したＰＯＡＭ部分で置換されており；
Ａｒ１はアリール、置換アリール、ヘテロアリールおよび置換ヘテロアリールからなる群から選択され、各Ａｒ１は場合によりＡｒ１と状況によりリンカーで共有結合したＰＯＡＭ部分で置換されており；
Ａｒ２はアリール、置換アリール、ヘテロアリールおよび置換ヘテロアリールからなる群から選択され、各Ａｒ２は場合によりＡｒ２と状況によりリンカーで共有結合したＰＯＡＭ部分で置換されており；
Ｗは−（ＣＨ２）ｍ−、−ＣＨ２−Ｃ（Ｏ）−、−Ｃ（Ｏ）−および−ＣＨ２−Ｃ（Ｏ）−ＣＨ２−からなる群から選ばれ；
Ｘは−Ｓ−、−ＳＯ−、−ＳＯ２および状況により置換されている−ＣＨ２−からなる群から選ばれ、；
Ｙは−Ｏ−、−Ｓ−および−ＮＲ１−からなる群から選ばれ、Ｒ１は水素およびＣ１〜Ｃ５アルキルからなる群から選ばれ；
Ｖは、
（ａ）−Ｙ（ＣＯ）−と場合によりリンカーにより共有結合しているＰＯＡＭ部分；および
（ｂ）式中Ｒ２とＲ３はアルキルおよび置換アルキルからなる群から別個に選ばれる−ＮＲ２Ｒ３であるＶａ；そして
（ｃ）複素環または置換された複素環を表す、−ＮＲ２Ｒ３であるＶｂ、
（式中ＶａおよびＶｂのそれぞれは場合によりＰＯＡＭ部分で置換され、当該ＰＯＡＭ部分はＶａおよびＶｂ内でアルキル、置換アルキル、複素環類または置換された複素環類に、場合によりリンカーにより共有結合している）からなる群から選ばれ；
ｍは０、１または２に相当する整数で、ｍが０のときＸは場合により置換−ＣＨ２−であり；そして
ｎは０、１または２に相当する整数であるが；
ただしＲ、Ａｒ１、Ａｒ２、Ｖおよび−ＮＲ２Ｒ３の少なくとも１つがＰＯＡＭ部分を含有するのが条件で；更にＲがＰＯＡＭ部分である場合、ｎは１でＸは−Ｓ−、−ＳＯ−、−ＳＯ２−ではないのが条件で；そして更に式Ｉの抱合体は１００，０００以下の分子量を有するのが条件である、前記式Ｉの抱合体またはその薬学的に許容できる塩。
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
付加硬化性物質との付着性が向上した組成物であって、
有機のポリマーであって、エチレン性不飽和及び水素化珪素官能基を含まない樹脂成分、及び
前記樹脂成分に配合される、フッ素置換オルガノポリシロキサン、アミノ官能化オルガノポリシロキサン、不飽和カルボン酸又はカルボン酸塩、及びそれらの組み合わせからなる群から選択される添加剤であって、付加硬化性物質と反応するためのヒドロシリル化反応性基を含む添加剤、
を含む組成物。
【請求項２】
前記添加剤のヒドロシリル化反応性基が、付加硬化性物質と反応するためのエチレン性不飽和官能基を含む請求項１記載の組成物。
【請求項３】
前記添加剤が、前記フッ素置換オルガノポリシロキサンを含む請求項１又は２に記載の組成物。
【請求項４】
前記添加剤が、前記アミノ官能化オルガノポリシロキサンを含む請求項１〜３のいずれかに記載の組成物。
【請求項５】
前記添加剤が、前記不飽和カルボン酸又はカルボン酸塩を含む請求項１〜４のいずれかに記載の組成物。
【請求項６】
前記添加剤の前記ヒドロシリル化反応性基が、付加硬化性物質と反応するための水素化珪素官能基を含む請求項１記載の組成物。
【請求項７】
前記添加剤が、前記フッ素置換オルガノポリシロキサンを含み、前記フッ素置換オルガノポリシロキサンが、フッ素置換オルガノ水素ポリシロキサンを含む請求項６記載の組成物。
【請求項８】
前記添加剤が、前記樹脂成分１００質量部に対して０．００１乃至３０質量部存在する請求項１〜７のいずれかに記載の組成物。
【請求項９】
前記樹脂成分が、ポリスチレン、ポリアミド、ポリカーボネート、ポリオレフィン、スチレン-アクリロニトリルコポリマー、アクリロニトリル-ブタジエン-スチレンコポリマー、ポリエステル、ポリウレタン、エポキシ樹脂、ポリフェニレンオキシド、ハロゲン置換有機ポリマー、ポリフタルアミド、ポリフェニレンスルフィド、液晶ポリマー、ポリシクロヘキサンテレフタレート、及びそれらの組み合わせからなる群から選択されるポリマーであると更に定義される請求項１〜８のいずれかに記載の組成物。
【請求項１０】
請求項１〜９のいずれかに記載の組成物から形成された１以上の基板、
前記１以上の基板上に配置されている付加硬化性物質、
を含むことを特徴とする、複合材料製品。
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
構成部品接着用の接着テープであって、対向する第一および第二主面を有する金属層を含み、前記第一および第二主面のそれぞれが前記第一および第二主面上で接着面を画定する接着剤層を有し、前記第一および第二主面上の前記接着剤層が感圧接着剤の領域と活性化可能な接着剤組成物の領域とを備え、前記領域のそれぞれが接着剤層の表面の一部を画定する、接着テープ。
【請求項２】
構成部品接着用の接着テープであって、対向する第一および第二主面を有する孔の開けられた層を含み、前記第一および第二主面のそれぞれが前記第一および第二主面上に接着面を画定する接着剤層を有し、前記第一および第二主面上の前記接着剤層が感圧接着剤の領域と活性化可能な接着剤組成物の領域とを備え、前記領域のそれぞれが接着剤層の表面の一部を画定する、接着テープ。
【請求項３】
（ｉ）接着すべき構成部品間に、請求項１又は２記載の接着テープを供給する工程と、（ｉｉ）活性化可能な接着剤組成物の領域を架橋する工程とを含む、構成部品の接着方法。
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
C8-C13アルキル芳香族化合物を含む炭化水素の触媒水素化脱アルキル化方法単独の方法であって、前記炭化水素組成物を、連続的且つ水素の存在下、5〜35のSi/Alモル比を有し、ＩＩB、ＶＩB、ＶＩＩＩ群に属するものから選択される少なくとも1種の金属で修飾されているZSM-5ゼオライトからなる触媒で、400〜650℃の温度、2〜4MPaの圧力、及び3〜6のH2/チャージモル比で処理することを含む、方法。
【請求項２】
前記炭化水素組成物がC4-C9脂肪族及び脂環式生成物と混合されている、請求項１記載の方法。
【請求項３】
水素化脱アルキル化反応を、450〜580℃の温度、2.8〜3.6MPaの圧力、3.8〜5.2のH2/チャージモル比、及び、炭化水素流に関して計算すると、3〜5時間-1であるLHSV（液体1時間当たりの空間速度）を保証するような試薬の流量で行う、請求項１又は２記載の方法。
【請求項４】
前記LHSVが3.5〜4.5時間-1である、請求項３記載の方法。
【請求項５】
水素化脱アルキル化に付される炭化水素チャージが、エチルベンゼン、キシレン、プロピルベンゼン、エチルトルエン、トリメチルベンゼン、ジエチルベンゼン、エチルキシレン、テトラメチルベンゼン、プロピルトルエン、エチルトリメチルベンゼン、トリエチルベンゼン、及びジプロピルトルエンから選択されるC8-C13アルキル芳香族化合物を含む、請求項１〜４のいずれか１項に記載の方法。
【請求項６】
C8-C13アルキル芳香族炭化水素チャージが、改質装置又は熱分解性方法を行う装置、又は蒸気クラッキングから生じる、請求項５記載の方法。
【請求項７】
水素化脱アルキル化に付される炭化水素チャージがC8-C13アルキル芳香族化合物を含む、請求項１〜６のいずれか１項に記載の方法。
【請求項８】
水素化脱アルキル化に付される炭化水素チャージが、C4-C9脂肪族及び脂環式生成物及びヘテロ原子を含む有機化合物と混合されている、請求項７記載の方法。
【請求項９】
触媒が、アルミナ、その中では擬似ボヘマイト及びγ-アルミナ；クレイ、その中ではカオリナイト、スメクタイト、モンモリロナイト；シリカ；アルミノ-シリケート；チタン及びジルコニウムの酸化物；これらの混合物から選択される結合剤との結合形態であるZSM-5ゼオライトからなり、ゼオライト/結合剤質量比が100/1〜1/10である、請求項１〜８のいずれか１項に記載の方法。
【請求項１０】
ZSM-5触媒/結合剤が、ＩＩB、ＶＩB及びＶＩＩＩ群に属するものから選択される少なくとも1種の金属で修飾されている、請求項１〜９のいずれか１項に記載の方法。
【請求項１１】
ＩＩB、ＶＩB及びＶＩＩＩ群に属する金属が、モリブデン、亜鉛、ニッケル、コバルト、パラジウム、及びそれらの混合物から選択される、請求項１〜１０のいずれか１項に記載の方法。
【請求項１２】
金属がモリブデンである、請求項１１記載の方法。
【請求項１３】
ZSM-5ゼオライトが、15〜30のSi/Alモル比である、請求項１〜１２のいずれか１項に記載の方法。
【請求項１４】
触媒における金属の分散が、含浸、イオン交換、蒸着又は表面吸着から選択される技術によって行うことができる、請求項１〜１３のいずれか１項に記載の方法。
【請求項１５】
それ自体又は結合形態のZSM-5ゼオライトが：
金属化合物の1種以上の溶液を調製して媒体に運ぶ工程；
ゼオライトを上記溶液に含浸する工程；
含浸されたゼオライトを乾燥する工程；及び
含浸及び乾燥したゼオライトを400〜650℃の温度で焼成する工程；
を含む方法によって、ＩＩB、ＶＩB及びＶＩＩＩ群の金属で含浸される、請求項１〜１４のいずれか１項に記載の方法。
【請求項１６】
前記工程を1度以上繰り返す工程；
をさらに含む方法を含む、請求項１５記載の方法。
【請求項１７】
触媒における金属の分散が、水溶液又は水-有機溶液に含浸することによって行われ、該有機溶媒がアルコール、ケトン及びニトリル又はそれらの混合物から選択され、触媒における金属の全最終含有率が0.1〜10質量%であるような濃度で、該金属の少なくとも1種の水溶解性又は有機溶解性化合物を含む、請求項１５又は１６記載の方法。
【請求項１８】
触媒中の金属の全含有率が0.5〜8質量%である、請求項１〜１７のいずれか１項に記載の方法。
【手続補正書】
【提出日】平成19年12月13日(2007.12.13)
【手続補正１】
【補正対象書類名】明細書
【補正対象項目名】発明の名称
【補正方法】変更
【補正の内容】
【発明の名称】ノイズを最小化するために量子化誤差と候補ベクトルとを用いたルックアヘッドデルタ・シグマ変調器
【手続補正２】
【補正対象書類名】明細書
【補正対象項目名】０００２
【補正方法】変更
【補正の内容】
【０００２】
本願は、タイトルが「Ｓｉｇｎａｌ  Ｐｒｏｃｅｓｓｉｎｇ  ｗｉｔｈ  ａ  Ｌｏｏｋ−ａｈｅａｄ  Ｍｏｄｕｌａｔｏｒ  Ｈａｖｉｎｇ  Ｔｉｍｅ  Ｗｅｉｇｈｔｅｄ  Ｅｒｒｏｒ  Ｖａｌｕｅｓ」の同一譲受人による米国特許出願（２００４年６月２２日出願、出願番号：１０／８７５，９２０、発明者：Ｊｏｈｎ  Ｌ．Ｍｅｌａｎｓｏｎ、現在米国特許番号：６，８７９，２７５号（２００５年４月１２日発行））の米国特許法第１２０条の下での利益を主張する。本明細書では、この特許出願を「Ｍｅｌａｎｓｏｎ  Ｗｅｉｇｈｔｉｎｇ  Ｐａｔｅｎｔ」と呼ぶ。Ｍｅｌａｎｓｏｎ  Ｗｅｉｇｈｔｉｎｇ特許は、ルックアヘッドデルタ・シグマ変調器の誤差ベクトルを重み付ける例示的なシステムおよび方法を記載する。その全容を参考として援用する。
【手続補正３】
【補正対象書類名】明細書
【補正対象項目名】０００８
【補正方法】変更
【補正の内容】
【０００８】
【化２】
2007518376.tif 000001
ルックアヘッド深さＭとは、出力信号ｙ（ｎ）を決定するために使用する各出力候補ベクトルＹＤｉの大きさをいう。時間ｔにおいて、負の遅延出力候補ベクトル−ＹＤｉ，ｉ∈｛０，１，２，．．．，Ｎ−１｝および入力ベクトルＸｔは、ノイズシェーピングフィルター２０２（ｉ）への入力である。ルックアヘッド深さＭおよびｙ（ｎ）＝｛−１，＋１｝の場合、および出力候補をプルーニングしない場合、各Ｎ遅延出力候補ベクトルは独自のエレメントセットを含む。ルックアヘッドデルタ・シグマ変調器１０６の各ノイズシェーピングフィルター２０２（ｉ）は、各コストベクトルＣｉの計算時において時間ｔで通常のフィルター状態変数セットを使用する。フィルター２０２は、各ｙ（ｎ）の計算時に使用される実際のフィルター状態変数を維持する。状態変数は、選択されたｙ（ｎ）出力値によって更新される。ループフィルター２０２は、誤差値を生み出すためにＸｉおよび−Ｙｉを処理し、この実施形態においてはこれをコスト値ベクトルＣｉと称する。コスト値ベクトルＣｉおよび、結果としてコスト値ベクトルＣｉの各エレメントは、周波数加重の誤差値である。ルックアヘッドデルタ・シグマ変調器１０６のいくつかの実施形態において、入力信号ベクトルＸｔおよび遅延出力候補ベクトルＹＤｉも、フィルター２０２（ｉ）への直接入力として使用される。
【手続補正４】
【補正対象書類名】明細書
【補正対象項目名】００１２
【補正方法】変更
【補正の内容】
【００１２】
例えば、Ｍ＝２かつｙ∈｛−１，＋１｝である場合、Ｎ＝４，ｉ∈｛０，１，２，３｝となり、表２に、Ｙ出力候補ベクトルおよびＸｔのそれぞれを表す。
【手続補正５】
【補正対象書類名】明細書
【補正対象項目名】００１９
【補正方法】変更
【補正の内容】
【００１９】
【化５】
2007518376.tif 000002
式３は、伝達関数Ｈ２（ｚ）を表す。
【手続補正６】
【補正対象書類名】明細書
【補正対象項目名】００２０
【補正方法】変更
【補正の内容】
【００２０】
【化６】
2007518376.tif 000003
図３Ｃおよび３Ｄは、フィルター３００の代表的なＮＴＦおよびＳＴＦ極零配置を描写している。ＮＴＦは信号帯において複数のゼロを持つハイパス関数であり、ＳＴＦは全極型ローパス関数である。
【手続補正書】
【提出日】平成20年6月13日(2008.6.13)
【手続補正１】
【補正対象書類名】明細書
【補正対象項目名】０００３
【補正方法】変更
【補正の内容】
【０００３】
本発明は、また、常に大量の計算を必要とするという、マッチング追跡に対する問題のある考え方を払拭するものでもある。
この出願の発明に関連する先行技術文献情報としては、以下のものがある（国際出願日以降国際段階で引用された文献及び他国に国内移行した際に引用された文献を含む）。
【特許文献１】米国特許第号５，６９９，１２１明細書
【特許文献２】米国特許出願公開第２００３／０３１３６９号明細書
【非特許文献１】Ｂａｎｈａｍ，  Ｍ．Ｒ．，  "Ａ  Ｓｅｌｅｃｔｉｖｅ  Ｕｐｄａｔｅ  Ａｐｐｒｏａｃｈ  ｔｏ  Ｍａｔｃｈｉｎｇ  Ｐｕｒｓｕｉｔｓ  Ｖｉｄｅｏ  Ｃｏｄｉｎｇ，"  ＩＥＥＥ  Ｔｒａｎｓａｃｔｉｏｎ  ｏｎ  Ｃｉｒｃｕｉｔｓ  ａｎｄ  Ｓｙｓｔｅｍｓ  ｆｏｒ  Ｖｉｄｅｏ  Ｔｅｃｈｎｏｌｏｇｙ，  １９９７，７（１），１１９−１２９
【非特許文献２】Ｍａｌｌａｔ，  Ｓ．Ｇ．，  "Ｍａｔｃｈｉｎｇ  Ｐｕｒｓｕｉｔｓ  ｗｉｔｈ  Ｔｉｍｅ−Ｆｒｅｑｕｅｎｃｙ  Ｄｉｃｔｉｏｎａｒｉｅｓ，"  ＩＥＥＥ  Ｔｒａｎｓａｃｔｉｏｎｓ  ｏｎ  Ｓｉｇｎａｌ  Ｐｒｏｃｅｓｓｉｎｇ，  Ｄｅｃｅｍｂｅｒ  １９９３，  ４１，  ３３９７−３４０８
【非特許文献３】Ｎｅｆｆ  ｅｔ  ａｌ．，  "Ｖｅｒｙ  ｌｏｗ  ｂｉｔ  ｒａｔｅ  ｖｉｄｅｏ  ｃｏｄｉｎｇ  ｂａｓｅｄ  ｏｎ  Ｍａｔｃｈｉｎｇ  Ｐｕｒｓｕｉｔｓ，"  ＩＥＥＥ  Ｔｒａｎｓａｃｔｉｏｎｓ  ｏｎ  Ｃｉｒｃｕｉｔｓ  ａｎｄ  Ｓｙｓｔｅｍｓ  ｆｏｒ  Ｖｉｄｅｏ  Ｔｅｃｈｏｎｏｌｏｇｙ，  Ｏｃｔｏｒｂｅｒ  １９９７，  ７（５），  １５８−１７１
【非特許文献４】Ｒｅｚａｉｉｆａｒ  ｅｔ  ａｌ．，  "Ｗａｖｅｌｅｔ  Ｂａｓｅｄ  Ｓｐｅｅｃｈ  Ｃｏｄｉｎｇ  Ｕｓｉｎｇ  Ｏｒｔｈｏｇｏｎａｌ  Ｍａｔｃｈｉｎｇ  Ｐｕｒｓｕｉｔ，"  Ｐｒｏｃ．  ２９ｔｈ  Ｉｎｔ．  Ｃｏｎｆ．  ｏｎ  Ｉｎｆｏｒｍａｔｉｏｎ  Ｓｙｓｔｅｍｓ  （ＣＩＳＳ−９５），  Ｍａｒｃｈ  １９９５，８８−９２，
【非特許文献５】Ｖｅｔｔｅｒｌｉ，  Ｍ．．，  "Ｍａｔｃｈｉｎｇ  Ｐｕｒｓｕｉｔ  ｆｏｒ  Ｃｏｍｐｒｅｓｓｉｏｎ  ａｎｄ  Ａｐｐｌｉｃａｔｉｏｎ  ｔｏ  Ｍｏｔｉｏｎ  Ｃｏｍｐｅｎｓａｔｅｄ  Ｖｉｄｅｏ  Ｃｏｄｉｎｇ，"  ＩＥＥＥ  Ｉｎｔｅｒｎａｔｉｏｎａｌ  Ｃｏｎｆｅｒｅｎｃｅ  Ｐｒｏｃｅｅｄｉｎｇｓ  ＩＣＩＰ−９４，  Ｎｏｖｅｍｂｅｒ  １９９４，  １（１３−１６），  ７２５−７２９
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
医療装置であって：
（ａ）最大８％の歪みで形状記憶を維持するニッケルチタン合金を少なくとも部分的に含む本体と、
（ｂ）前記本体の少なくとも一部に設けられたＴａコーティングと、を含み、
前記Ｔａコーティングが、前記医療装置が放射線不透過性となる十分な厚みを有しており、かつ剥離することなく前記医療装置の使用中に生じる歪みに耐えることができる、
医療装置。
【請求項２】
Ｔａコーティングが主にｂｃｃ結晶相からなる、請求項１記載の医療装置。
【請求項３】
Ｔａコーティングの厚みが３μｍ〜１０μｍの範囲である、請求項１記載の医療装置。
【請求項４】
前記医療装置がステントである、請求項１記載の医療装置。
【請求項５】
前記医療装置がガイドワイヤである、請求項１記載の医療装置。
【請求項６】
医療装置上にＴａ層を堆積させる方法であって：
（ａ）Ｔａスパッタターゲットを含むスパッタコーティングシステムにおける不活性ガスの背景圧力を維持するステップと、
（ｂ）前記Ｔａターゲットに電圧を加えてスパッタリングを起こすステップと、
（ｃ）所与の時間スパッタリングして所望の厚みのコーティングを形成するステップと、からなる、前記方法。
【請求項７】
前記医療装置を直接加熱または冷却するのではなく、堆積の際の前記医療装置の平衡温度を前記方法によって間接的に制御する、請求項６記載の方法。
【請求項８】
前記平衡温度が１５０℃〜４５０℃の範囲である、請求項７記載の方法。
【請求項９】
前記方法の際に前記医療装置に電圧を加える、請求項６記載の方法。
【請求項１０】
前記電圧が、第１の時間に亘って前記医療装置を予備清浄するための初期高電圧を含む、請求項９記載の方法。
【請求項１１】
前記初期高電圧が３００Ｖ〜５００Ｖの範囲である、請求項１０記載の方法。
【請求項１２】
前記第１の時間が１分〜２０分の範囲である、請求項１０記載の方法。
【請求項１３】
前記電圧が、第２の時間に亘って加えられる第２の低電圧を含む、請求項９記載の方法。
【請求項１４】
前記低電圧が５０Ｖ〜２００Ｖの範囲である、請求項１３記載の方法。
【請求項１５】
前記第２の時間が１時間〜３時間の範囲である、請求項１３記載の方法。
【請求項１６】
前記不活性ガスが、Ａｒ、Ｋｒ、およびＸｅを含む群から選択される、請求項６記載の方法。
【請求項１７】
前記電圧により、１μｍ／時間〜５μｍ／時間の堆積速度が得られる、請求項６記載の方法。
【請求項１８】
前記電圧が直流である、請求項６記載の方法。
【請求項１９】
前記電圧が交流である、請求項６記載の方法。
【請求項２０】
前記電圧がパルスで加えられる、請求項６記載の方法。
【請求項２１】
医療装置であって：
（ａ）最大８％の歪みで形状記憶を維持し、かつ外層を有する本体と、
（ｂ）前記外層の少なくとも一部に設けられ、層間剥離することなく該装置の使用において生じる歪みに耐えられる、高密度放射線不透過性コーティングと、を含み、
該コーティングが物理蒸着技術を用いて施されている、前記医療装置。
【請求項２２】
前記Ｔａコーティングが多孔性円柱状コーティングである、請求項１記載の医療装置。